(57)【特許請求の範囲】
【請求項１】
第１取付部と、第１パッド接続部とを有する第１ストラップ部材と、
第１端部と、中間部と、第２端部とを有し、前記第１ストラップ部材の前記第１パッド接続部がファスナ部材によって固定連結されたパッド部材と、
前記ファスナ部材によって前記第１ストラップ部材の前記第１パッド接続部に固定連結された調節ストラップバックルと、
第２取付部と、調節ストラップバックルによって前記第１ストラップ部材に調節自在に連結された第２パッド接続部とを有する第２ストラップ部材と、
を備えたスポーツ靴用のストラップアセンブリ。
【請求項２】
前記第１パッド接続部は、前記パッド部材の前記第１端部から前記パッド部材の前記中間部を横切って前記パッド部材の前記第２端部まで延び、前記第１ストラップ部材は、前記ファスナ部材によって前記第２端部に固定連結されている、請求項１に記載のストラップアセンブリ。
【請求項３】
前記第１ストラップ部材の前記第１パッド接続部は、前記ファスナ部材を選択的に受け取るよう、前記第１パッド接続部から前記第１取付部に向かって長さ方向に配置された複数の調節孔を有している、請求項１に記載のストラップアセンブリ。
【請求項４】
前記第２ストラップ部材の前記第２取付部は、少なくとも１個の取付孔を有している、請求項１に記載のストラップアセンブリ。
【請求項５】
前記第２ストラップ部材の前記第２パッド接続部は、前記第２ストラップの長さ方向にセレーションが形成され、前記調節ストラップバックルは、ラッチ位置に付勢されたレバーを有しているインクリメンタルラッチバックルである、請求項１に記載のストラップアセンブリ。
【請求項６】
前記パッド部材の前記第１端部は、前記第１ストラップ部材が内部に配置されるよう構成された開口部を有している、請求項１に記載のストラップアセンブリ。
【請求項７】
前記パッド部材は、ベース部と、前記ベース部に連結されたループ部とを有し、前記第１ストラップ部材の前記第１パッド接続部は、前記ファスナ部材によって前記ベース部に固定連結され、前記第１ストラップ部材の中間部は、前記ループ部内に位置している、請求項１に記載のストラップアセンブリ。
【請求項８】
前記パッド接続部の前記第２端部は、前記ファスナ部材を選択的に受け取るよう、前記パッド部材の前記第２端部から前記パッド部材の前記第１端部に向かって長さ方向に配置された複数の調節孔を有している、請求項１に記載のストラップアセンブリ。
【請求項９】
ソール部と、
前記ソール部に固定連結され、内側部と、中央足部と、外側部とを有するアッパー部と、
前記内側部及び前記外側部の一つに連結された第１取付部と、第１パッド接続部とを有する第１ストラップ部材と、
第１端部と、中間部と、第２端部とを有し、ファスナ部材によって前記第１ストラップ部材の前記第１パッド接続部が固定連結されたパッド部材と、
前記ファスナ部材によって前記第１ストラップ部材の前記第１パッド接続部に固定連結された調節ストラップバックルと、
内側部又は外側部の他方に連結された第２取付部と、前記調節ストラップバックルによって前記第１ストラップ部材に調節自在に連結された第２パッド接続部とを有する第２ストラップ部材と、
を備えたスポーツ靴。
【請求項１０】
前記第１パッド接続部は、前記パッド部材の前記第１端部から前記パッド部材の前記中間部を横切って前記パッド部材の前記第２端部まで延び、前記第１ストラップ部材は、前記ファスナ部材によって前記第２端部に固定連結されている、請求項９に記載のスポーツ靴。
【発明の詳細な説明】
【０００１】
【発明の属する技術分野】
本発明は、スポーツ靴用のストラップアセンブリ、特に、スノーボード用ブーツなどのスポーツ靴の足首前方領域にパッドを提供するストラップに関する。
【０００２】
【従来の技術】
近年、スノーボーディングは、非常に人気の高い冬季スポーツになってきている。実際、１９９８年の日本の長野や、２００２年の米国のソルトレークシティーにおける冬季オリンピックでは、スノーボーディングがオリンピック競技の１つに選ばれている。スノーボーディングは、乗り手が雪に被われた丘をスノーボードに乗って滑降することから、スキーに類似している。スノーボードは、一般に、小型のサーフボード又は車輪のない大型のスケートボードの形をしている。スノーボーダーは、通常、足がスノーボードの縦軸を横切るようにして、スノーボードの上に立つ。スキーの場合と同様、スノーボーダーは、バインディング機構によってスノーボードに固定される特殊なブーツを着用する。すなわち、スキーの場合とは異なり、スノーボーダーの両足は、片足がもう一方の足の前に配置されて、単一のスノーボードに固定的に連結される。スノーボーダーは、一般に、スノーボードの縦軸を横切るようにして、スノーボードの上に両足で立つ。さらに、スキーの場合とは異なり、スノーボーダーはストックを使用しない。
【０００３】
スノーボーディングは、動きのバランスとコントロールを要するスポーツである。スノーボーダーは、下り坂斜面での方向を操作する際に、様々な方向に傾いて、スノーボードの運動方向をコントロールしている。具体的には、スノーボードのコントロールを維持するには、スノーボーダーの傾斜運動がブーツからスノーボードへと伝達される必要がある。例えば、スノーボーダーが後方に傾斜すると、それに応じてスノーボードが傾き、傾斜方向に曲る。同様に、前方に傾斜すると、それに応じてスノーボードが傾き、傾斜方向に曲る。したがって、スノーボード用ブーツ及びバインディングは、スノーボードを最大限にコントロール可能なように構成されなければならない。
【０００４】
一般に、スノーボーディングは、アルペンスノーボーディングと、フリースタイルスノーボーディングとに分けることができる。アルペンスノーボーディングでは、従来、アルペンスキーに使われているブーツと同様のハードブーツが着用され、アルペンスキー用ブーツのバインディングに類似する、スノーボード上に取り付けられたいわゆるハードバインディングにはめ込まれる。フリースタイルスノーボーディングでは、一般に、普通のブーツに類似するソフトブーツが着用される。なお、必要に応じて、ソフトスタイルブーツをアルペンスノーボーディングに使用可能である。現在、様々なタイプのスノーボード用バインディングが利用可能である。ただし、スノーボード用バインディングは、ステップイン式バインディング又はストラップ式バインディングのいずれかに分類することができる。ステップイン式バインディングの例は下記特許文献１及び２に開示されている。ストラップ式バインディングの例は下記特許文献３に開示されている。
【０００５】
ステップイン式バインディングには、ハードスノーボードブーツ用と、ソフトスノーボードブーツ用のものがある。ソフトスノーボードブーツに使用されるステップイン式バインディングの場合、スノーボーダーの足のかかとがブーツ内で浮き上がるのを防ぐために、足首ストラップアセンブリが使用される。足首ストラップアセンブリは、一般に、ブーツの中央及び側面の取付点で接続され、足首前方部を横切って延び、スノーボーダーの足をブーツの靴底に押さえ付ける。ブーツの片側に連結された第１ストラップコンポーネントを、ブーツの反対側に連結された第２ストラップコンポーネントに締め付けるために、多くの場合、ラチェット機構が使用される。ラチェット機構は、一般に、１つのストラップコンポーネントに設置されたラチェットバックルと、このラチェットバックルと係合するよう構成された歯付きストラップコンポーネントとを備えている。このような足首ストラップアセンブリの一例は、下記特許文献４に開示されている。
【０００６】
同様に、足首ストラップアセンブリは、下記特許文献５に開示されるようなストラップ式バインディングにも使用されている。したがって、ストラップ式バインディングの足首ストラップは、通常、バインディングの側面に直接的に接続される。
ステップイン式バインディング及びストラップ式バインディングの両方の足首ストラップは、一般に、多くの部品で構成されている。このように、足首ストラップアセンブリは、比較的複雑な構造を有している。このような種類のストラップアセンブリは、多くの場合、製造及び組立てが比較的高額である。
【０００７】
上記観点から、従来の技術での前述の問題を克服する改良型の足首ストラップアセンブリが必要になっている。本発明では、本技術における上記の必要性ならびにその他の必要性を示し、本開示によって、当業者はそれを明確に理解することができる。
【０００８】
【特許文献１】
米国特許第６１６４６８２号明細書（Okajimaらに付与）
【０００９】
【特許文献２】
米国特許第６３２５４０５号明細書（Okajimaらに付与）
【００１０】
【特許文献３】
米国特許第６０７６８４８号明細書（Rigalらに付与）
【００１１】
【特許文献４】
米国特許第６２５３４６７号明細書（Maravetzらに付与）
【００１２】
【特許文献５】
米国特許第６０７６８４８号明細書（Rigalらに付与）
【００１３】
【発明が解決しようとする課題】
本発明の目的は、構造が比較的簡単なストラップアセンブリを提供することにある。本発明の別の目的は、製造及び組立てが比較的安価なストラップアセンブリを提供することにある。
【００１４】
【課題を解決するための手段】
前記目的は、第１ストラップ部材と、パッド部材と、調節ストラップバックルと、第２ストラップ部材とを備えたストラップアセンブリを提供することによって達成される。第１ストラップ部材は、第１取付部と、第１パッド接続部とを有している。パッド部材は、第１端部と、中間部と、第２端部とを有し、第１ストラップ部材の第１パッド接続部がファスナ部材によって固定連結されている。調節ストラップバックルは、ファスナ部材によって第１ストラップ部材の第１パッド接続部に固定連結されている。第２ストラップ部材は、第２取付部と、調節ストラップバックルによって第１ストラップ部材に調節自在に連結された第２パッド接続部とを有している。
【００１５】
このストラップアセンブリでは、ファスナ部材は、ボルト及びナットを有していてもよい。この場合、ボルトは、第１ストラップ部材、パッド部材及び調節ストラップバックルに各々形成され軸方向に並ぶ孔を貫通して延びるネジ付き軸を有していてもよい。この場合さらに、ナットは、少なくとも一部がパッド部材の中に埋込まれていてもよい。
【００１６】
また、このストラップアセンブリでは、第１ストラップ部材の第１取付部は、少なくとも１個の取付孔を有していてもよい。この場合、第１ストラップ部材の第１パッド接続部は、第１取付部及び第１パッド接続部の間に第１ストラップ部材の長さ方向に配置された複数の調節孔を有していてもよい。この場合さらに、第２ストラップ部材の第２取付部は、少なくとも１個の取付孔を有していてもよい、また、この場合さらに、第２ストラップ部材の第２パッド接続部は、第２ストラップの長さ方向にセレーションが形成され、調節ストラップバックルは、ラッチ位置に付勢されたレバーを有するインクリメンタルラッチバックルである。
【００１７】
前記目的は、ソール部と、アッパー部と、第１ストラップ部材と、調節バックルと第２ストラップ部材とを備えたスポーツ靴によっても達成される。アッパー部は、ソール部に固定連結され、内側部と、中央足部と、外側部とを有する。第１ストラップ部材は、内側部及び外側部の一つに連結された第１取付部と、第１パッド接続部とを有する。パッド部材は、第１端部と、中間部と、第２端部とを有し、ファスナ部材によって第１ストラップ部材の第１パッド接続部が固定連結された。調節ストラップバックルは、ファスナ部材によって第１ストラップ部材の第１パッド接続部に固定連結されている。第２ストラップ部材は、内側部又は外側部の他方に連結された第２取付部と、調節ストラップバックルによって第１ストラップ部材に調節自在に連結された第２パッド接続部とを有する。
【００１８】
本発明の上記及びその他の目的、特徴、様相、利点は、当業者にとって、添付された図面と共に、本発明の実施形態を開示する以下の詳細な説明から明らかになる。
【００１９】
図１及び図２に、本発明の一実施形態によるストラップアセンブリ１２が装着されたスノーボード用ブーツ１０などのスポーツ靴を示す。
ストラップアセンブリ１２は、着用者の足首の周りにしっかりと密着する。ストラップアセンブリ１２は、ここでは、スノーボード用ブーツ１０に使用されるよう示されているが、ストラップアセンブリ１２をスノーボードのバインディングに直接取り付けてもよい。
【００２０】
ストラップアセンブリ１２は、様々なサイズや形状のスポーツ靴、スノーボード用ブーツあるいはバインディングに合うよう様々なサイズに作成できる。
ここで使用するように、以下「前方、後方、上方、下方、垂直、水平、下、横」などの方向を示す用語、ならびに他の同様の方向を表す用語は、通常の直立した位置にあるスノーボード用ブーツ１０の方向を表している。したがって、本発明に用いられるこれらの用語は、スノーボード用ブーツ１０を通常の直立した位置に履いた着用者の足を基準として解釈されなければならない。
【００２１】
スノーボード用ブーツ１０は、図１及び図２に示すように、ソール部２０と、従来の方法でソール部２０に固定連結されたアッパー部２２とを備えるのが好ましい。アッパー部２２は、内側部２４と、中央足部２６と、外側部２８とを有している。スノーボード用ブーツ１０は、ステップイン式又はストラップレスバインディングシステムを使用するよう構成されている。スノーボード用ブーツ１０のようなスノーボード用ブーツについては、当該技術において周知であるので、スノーボード用ブーツ１０に関する詳細はここでは説明しない。すなわち、スノーボード用ブーツ１０の特定の構造は、本発明では重要ではない。スノーボード用ブーツ１０の内側部２４及び外側部２８は、ストラップアセンブリ１２を連結するための１対のファスナ３０（片方のみ図示）を備えている。
【００２２】
図３から図５に示すように、ストラップアセンブリ１２は、第１ストラップ部材４０と、パッド部材４１と、調節ストラップバックル４２と、第２ストラップ部材４３とを備えている。これら第１ストラップ部材４０、パッド部材４１、調節ストラップバックル４２及び第２ストラップ部材４３を互いに連結するために、１個のファスナ部材４４が利用されている。第２ストラップ部材４３は、調節ストラップバックル４２によって、第１ストラップ部材４０及びパッド部材４１に調節自在に連結される。このように、スノーボード用ブーツ１０は、比較的少数の部品を備えており、製造及び組立てが比較的容易である。
【００２３】
図６に示すように、第１ストラップ部材４０は、耐引っ張り性を有する帯状の可撓性延長部材であるのが好ましい。第１ストラップ部材４０の材質は、適切なものであれば特に限定されない。例えば、第１ストラップ部材４０は、通常の使用時には、自由状態で縦又は長さ方向に延びない可撓性プラスチック材料で構成されるのが好ましい。
【００２４】
第１ストラップ部材４０は、第１取付部４０ａと、中間部４０ｂと、第１パッド接続部４０ｃとを備えている。第１取付部４０ａは、ファスナ３０を介して、ブーツ１０の内側部２４及び外側部２８の一方に連結される。第１取付部４０ａは、特に、ファスナ３０の貫通する貫通孔４０ｄを備えている。第１パッド接続部４０ｃは、ファスナ部材４４を介して、パッド部材４１及び調節ストラップバックル４２に固定連結される。第１パッド接続部４０ｃは、特に、第１ストラップ部材４０の第１パッド接続部４０ｃから第１ストラップ部材４０の第１取付部４０ａに向かう長さ方向に配置され、ファスナ部材４４を内部に選択的に受け取るための複数の調節孔４０ｅを備えている。したがって、第１ストラップ部材４０の有効長さは、パッド部材４１及び調節ストラップバックル４２に対し相対的に調節可能である。
【００２５】
図３から図５及び図７に示すように、パッド部材４１は、第１端部４１ａと、中間部４１ｂと、第２端部４１ｃとを備えている。パッド部材４１は、第１及び第２ストラップ部材４０，４３にパッドが得られるよう、横方向に圧縮可能な可撓性を有する軟らかい材料で成形された単一の一体部材として構成されるのが好ましい。例えば、パッド部材４１は、フォームタイプの材料で構成することができる。パッド部材４１は、単一の一体部材として示されているが、複数の層を有する材料で構成されてもよい。パッド部材４１の材料としては、パッド部材４１の縦軸に対し横方向に圧縮可能なだけ十分な厚みを備えたものが用いられる。前述のように、パッド部材４１は、ファスナ部材４４を介して第１ストラップ部材４０の第１パッド接続部４０ｃに接続される。さらに、図４に示すように、調節ストラップバックル４２は、ファスナ部材４４によってパッド部材４１の第２端部４１ｃに固定連結される。
【００２６】
第１端部４１ａは、第１ストラップ部材４０の一部が通って受容されるよう構成されたスロット又は開口部４１ｄを備えるのが好ましい。すなわち、第１ストラップ部材４０は、第２端部４１ｃ及び中間部４１ｂに沿って、パッド部材４１の上面の上に横たわり、さらに、開口部４１ｄを貫通して延び、パッド部材４１の第１端部４１ａの底面上に横たわる。パッド部材４１の中間部４１ｂは、第１端部４１ａ及び第２端部４１ｃよりも広くなるよう、その側端部において外側に湾曲しているのが好ましい。第２端部４１ｃは、パッド部材４１の第２端部４１ｃからパッド部材４１の第１端部４１ａに向かう長さ方向に配置され、ファスナ部材４４を選択的に受け取るための複数の取付孔４１ｅを備えている。したがって、パッド部材４１の位置は、取付孔４１ｅの１つを選択することにより、第１ストラップ部材４０に対して長さ方向に調節可能である。
【００２７】
図５に最も明らかなように、取付孔４１ｅは、軸方向に段付き形状であるのが好ましい。すなわち、取付孔４１ｅは、小直径部４１ｅ’と、大直径部４１ｅ’’と、小直径部４１ｅ’及び大直径部４１ｅ’’の間に形成された環状当接面４１’’’とを備えている。このように、取付孔４１ｅには、内部にファスナ部材４４を選択的に受け取るための溝が設けられている。すなわち、ファスナ部材４４は、パッド部材４１の底面に対して面一または凹状になるよう、取付孔４１ｅの１つにはめ込まれる。
【００２８】
図３から図５に示すように、調節ストラップバックル４２は、ファスナ部材４４によって第１ストラップ部材４０及びパッド部材４１に固定連結される。調節ストラップバックル４２は、当該技術において周知の従来型部品である。調節ストラップバックル４２は、当該技術において周知であるので、ここでは、その詳細について説明しない。本発明を実施するために、その他の種類の調節ストラップバックルを使用してもよい。
【００２９】
調節ストラップバックル４２は、ベース部材５０と、ロック部材又はロックレバー５１と、締付け部材又は締付けレバー５２とを備えている。ベース部材５０は、取付部５０ａと、上方に延びる一対の側面部５０ｂとを有するＵ字形部材であるのが好ましい。
取付部５０ａは、調節ストラップバックル４２を第１ストラップ部材４０及びパッド部材４１に取り付けるよう、ファスナ部材４４が通って受容される孔５０ｄを備えている。調節ストラップバックル４２の側面部５０ｂは、ロック部材５１及び締付け部材５２を回動自在に支持している。より具体的には、ロック部材５１は、調節ストラップバックル４２の側面部５０ｂの間に垂直に延びる回動支持ピン５３上に回動自在に設置されている。回動支持ピン５３には、トーションスプリング５３が取り付けられ、トーションスプリング５３の一端は、ロック部材５１に形成された接当部又は孔に係合し、トーションスプリング５３の他端は、調節ストラップバックル４２の側面部５０ｂの一方に形成された接当部又は孔に係合する。このように、ロック部材５１は、第２ストラップ部材４３と選択的に係合するよう、自由状態では取付部５０ａに向かって下方に付勢される。
【００３０】
締付け部材５２は、調節ストラップバックル４２の側面部５０ｂの間に、ほぼ垂直に延びるピボットピン５５上に回動自在に取り付けられている。トーションスプリング５６が回動支持ピン５７の上に取り付けられ、トーションスプリング５６のコイル部分は回動支持ピン５７の軸上に配置されている。トーションスプリング５６の一端は、ロック部材５１に形成された接当部又は孔に係合し、トーションスプリング５３の他端は、調節ストラップバックル４２の側面部５０ｂの一方に形成された接当部又は孔に係合する。したがって、図４に示すように、締付け部材５２は、自由状態では第２ストラップ部材４３から離れた停止位置に付勢される。図４に示すように、締付け部材５２がピボットピン５５の回りに時計回りに回転すると、トーションスプリング５３が縮まり、締付け部材５２の歯は第２ストラップ部材４３に係合して、第２ストラップ部材４３が長さ方向に移動する。
【００３１】
図７から最も明らかなように、第２ストラップ部材４３は、耐引っ張り性を有する帯であるのが好ましい。第２ストラップ部材４３の材質は、適切なものであれば特に限定されない。例えば、第２ストラップ部材４３は、通常の使用時には、通常、縦又は長さ方向に伸びない可撓性プラスチック材料で構成されるのが好ましい。第２ストラップ部材４３は、第２取付部４３ａと、中間部４３ｂと、第２パッド接続部４３ｃとを備えている。第２取付部４３ａは、スノーボードブーツ１０の内側部２４及び外側部２８の一方に連結される。第２取付部４３ａは、第２取付部４３ａをスノーボードブーツ１０に連結するファスナ３０を受け取るための孔４３ｄを備えるのが好ましい。中間部４３ｂ及び第２パッド接続部４３ｃには、複数の歯４３ｅを形成するよう長さ方向にセレーション（歯車状三角山）が形成されている。第２ストラップ部材４３の各セレーション又は歯４３ｅは、第２ストラップ部材４３の上面からほぼ垂直に延びる固定面と、第２ストラップ部材４３の第２取付部４３ａから離れる方向へ上方に延びる傾斜面とを備えている。したがって、第２ストラップ部材４３のセレーション又は歯４３ｅと、第２パッド接続部４３ｃとは、調節ストラップバックル４２のロック部材５１に選択的に係合するラチェット歯を形成している。すなわち、第２ストラップ部材４３は、調節ストラップバックル４２によって、第１ストラップ部材４０に対して長さ方向に調節可能である。より具体的には、図４に示すように、締付け部材５２の歯が第２ストラップ部材４３のセレーション又は歯４３ｅと係合するよう、調節ストラップバックル４２の締付け部材５２が時計回りに回転して、第２ストラップ部材４３は、第１ストラップ部材４０及びパッド部材４１に対して長さ方向に移動する。
【００３２】
ファスナ部材４４は、ストラップアセンブリ１２が前述のように調節可能であるよう、ボルト４４ａと、ナット４４ｂとを備えるのが好ましい。取外し式でないファスナ部材（例、リベット）を使用して、本発明の優先度の低い実施形態を実行してもよい。このように、ここで使用する「取外し式」という用語は、１つまたは複数の部品が、ストラップアセンブリ１２のいかなる部品をも損傷せずに分離可能なように構成される意味で用いられる。ナット４４ｂは、パッド部材４１の取付孔４１ｅの中に、少なくとも一部が配置されたネジ付きＴ字形ナットである。ボルト４４ａは、ナット４４ｂに合致するネジ付き軸を備えている。
【００３３】
［第２実施形態］
図９から図１４に、本発明の第２実施形態によるストラップアセンブリ１１２を示す。
ストラップアセンブリ１１２は、第１実施形態のパッド部材４１が第２実施形態のパッド部材１４１で置き換えられている点を除き、ストラップアセンブリ１２と同様である。第１実施形態と第２実施形態との類似点を考慮して、第１実施形態の部品と同様の第２実施形態の部品には、第１実施形態の部品と同じ符号を用いている。すなわち、ストラップアセンブリ１１２には、第１実施形態の第１ストラップ部材４０と、調節ストラップバックル４２と、第２ストラップ部材４３と、ファスナ部材４４とが使用されている。したがって、第１実施形態の部品と同じ第２実施形態の部品に関する説明は、簡略化のために省略する。
【００３４】
図１０から図１４に示すように、パッド部材１４１は、第１端部１４１ａと、中間部１４１ｂと、第２端部１４１ｃと、ポケット部材１４１ｄとを備えている。パッド部材１４１は、横方向に圧縮可能な可撓性を有する軟らかい材料で成形された一体の統合部材に構成されるのが好ましい。例えば、パッド部材１４１は、フォームタイプの材料で構成してもよい。パッド部材１４１は、単一の一体部材として示されているが、複数の層を有する材料で構成されてもよい。パッド部材１４１の材料は、パッド部材１４１の縦軸に対し横方向に圧縮可能である。前述のように、パッド部材１４１は、ファスナ部材４４を介して、第１ストラップ部材４０の第１パッド接続部４０ｃに接続される。さらに、調節ストラップバックル４２も、ファスナ部材４４によって、パッド部材４１の第２端部４１ｃに固定連結される。
【００３５】
ポケット部材１４１ｄは、部分１４１ａから１４１ｃの上面の上に横たわり、第１ストラップ部材４０の中間部４０ｂを通って受容されるよう構成された長手トンネル又はスロットを形成している。すなわち、第１ストラップ部材４０は、部分１４１ａから１４１ｃの上面と、ポケット部材１４１ｄとの間に横たわっている。
【００３６】
第２端部１４１ｃは、パッド部材１４１の第２端部１４１ｃから、パッド部材１４１の第１端部１４１ａに向かって長さ方向に配置され、ファスナ部材４４を内部に選択的に受け取るための複数の調節孔１４１ｅを備えるのが好ましい。したがって、パッド部材１４１の位置は、取付孔１４１ｅの１つを選択することにより、第１ストラップ部材４０に対し長さ方向に調節可能である。取付孔１４１ｅは、第１実施形態と同様、軸方向に段付き形状であるのが好ましい。すなわち、ファスナ部材４４は、パッド部材１４１の底面に対して面一または凹状になるように取付孔１４１ｅの１つにはめ込まれる。
【００３７】
ここで使用されている「ほぼ」、「約」、「おおよそ」などの程度を表す用語は、最終結果が著しく変化しないような妥当な量の変化を意味する修正用語である。これらの用語は、修正対象の用語の意味を否定しない場合は、±５％の偏差を含むものと解釈される。
ここでは、本発明の選択された実施形態を説明、図示しているが、本開示から本技術に精通するものには明らかであるが、請求の範囲で定義された本発明の意図又は範囲から離れることなく、様々な修正、変更を加えることができる。さらに、本発明による複数の実施形態の説明は、図示のみを目的とし、附随する請求事項や同等の請求による定義によって本発明を制限するものではない。
【００３８】
【本発明の効果】
本発明によれば、ストラップアセンブリの構造が比較的簡単なものとなる。また、本発明によれば、ストラップアセンブリの製造及び組立てが比較的安価で済む。
【図面の簡単な説明】
【図１】本発明の第１実施形態によるストラップアセンブリを備えたスノーボード用ブーツの側面斜視図。
【図２】本発明の第１実施形態による、図１に示されたストラップアセンブリを備えたスノーボード用ブーツの底面斜視図。
【図３】本発明の第１実施形態による、図１及び図２に示されたストラップアセンブリの上面図。
【図４】本発明の第１実施形態による、図１から図３に示されたストラップアセンブリの側面図。
【図５】図１から図４に示されたストラップアセンブリの、図３のＶ−Ｖ線による縦断面図。
【図６】本発明の第１実施形態による、図１から図５に示されたストラップアセンブリの第１ストラップ部材の上面図。
【図７】本発明の第１実施形態による、図１から図５に示されたストラップアセンブリの第２ストラップ部材の上面図。
【図８】本発明の第１実施形態による、図１から図５に示されたストラップアセンブリのパッド部材の上面図。
【図９】本発明の第２実施形態によるストラップアセンブリを備えたスノーボード用ブーツの側面斜視図。
【図１０】本発明の第２実施形態による、図９に示されたストラップアセンブリの上面図。
【図１１】本発明の第２実施形態による、図１０に示されたストラップアセンブリの側面図。
【図１２】図９から図１１に示されたストラップアセンブリの、図１０のIIX−IIX線による縦断面図。
【図１３】本発明の第２実施形態による、図９から図１２に示されたストラップアセンブリのパッド部材の上面図。
【図１４】本発明の第２実施形態による、図１３に示されたストラップアセンブリのパッド部材の側面図。
【符号の説明】
１２  ストラップアセンブリ
２０  ソール部
２２  アッパー部
２４  内側部
２６  中央足部
２８  外側部
４０  第１ストラップ部材
４０ａ  第１取付部
４０ｃ  第１パッド接続部
４１  パッド部材
４１ａ  第１端部
４１ｂ  中間部
４１ｃ  第２端部
４２  調整ストラップバックル
４３  第２ストラップ部材
４３ａ  第２取付部
４３ｃ  第２パッド接続部
４４  ファスナ部材
【図１】
0003740126.tif 000002
【図２】
0003740126.tif 000003
【図３】
0003740126.tif 000004
【図４】
0003740126.tif 000005
【図５】
0003740126.tif 000006
【図６】
0003740126.tif 000007
【図７】
0003740126.tif 000008
【図８】
0003740126.tif 000009
【図９】
0003740126.tif 000010
【図１０】
0003740126.tif 000011
【図１１】
0003740126.tif 000012
【図１２】
0003740126.tif 000013
【図１３】
0003740126.tif 000014
【図１４】
0003740126.tif 000015